【手続補正書】
【提出日】平成19年11月22日(2007.11.22)
【手続補正１】
【補正対象書類名】特許請求の範囲
【補正対象項目名】全文
【補正方法】変更
【補正の内容】
【特許請求の範囲】
【請求項１】
第１のサーバから受信した圧縮デジタルデータを第１のバッファに一時記憶し、前記第１のバッファが、前記圧縮デジタルデータの復号に十分な量である第１のデータ量の前記圧縮デジタルデータを一時記憶すると、前記第１のバッファから前記圧縮デジタルデータを読み出して、非圧縮デジタルデータに復号する第２のサーバと通信可能な再生装置において：
前記第２のサーバとデータを送受信する通信部と；
前記第２のサーバから前記通信部を介して受信した前記非圧縮デジタルデータを一時記憶する第２のバッファと；
前記第２のバッファから読み出された前記非圧縮デジタルデータをＤ／Ａ変換して出力するＤ／Ａ変換部と；
前記第２のバッファに、前記Ｄ／Ａ変換部が出力中断なく動作可能な第２のデータ量の前記非圧縮デジタルデータが一時記憶されると、前記第２のバッファが一時記憶する前記非圧縮デジタルデータが前記Ｄ／Ａ変換部に転送されるように制御する制御部と；
前記第１のバッファおよび前記第２のバッファの記憶状態を通知するための通知情報を生成する通知情報生成部と；
を備えることを特徴とする、再生装置。
【請求項２】
前記制御部は、前記第２のサーバから、前記第１のバッファに前記第１のデータ量の圧縮デジタルデータが記憶されたことを示す終了通知を前記通信部を介して受信すると、前記非圧縮デジタルデータを要求する要求情報を前記通信部を介して送信し、
前記要求情報に応じて、前記第２のサーバから送信された前記非圧縮デジタルデータを前記通信部を介して受信すると、該非圧縮デジタルデータを前記第２のバッファに一時記憶することを特徴とする、請求項１に記載の再生装置。
【請求項３】
前記通知情報生成部は、前記第１のバッファが一時記憶している前記圧縮デジタルデータのデータ量と、前記第２のバッファが記憶している前記非圧縮デジタルデータのデータ量と、に基づいて前記通知情報を生成することを特徴とする、請求項１に記載の再生装置。
【請求項４】
前記通知情報は、前記第１のバッファおよび前記第２のバッファの記憶状態を音波により通知する音波情報であることを特徴とする、請求項３に記載の再生装置。
【請求項５】
前記通知情報は、前記第１のバッファおよび前記第２のバッファの記憶状態を画像により通知する画像情報であることを特徴とする、請求項３に記載の再生装置。
【請求項６】
前記通知情報は、前記第１のデータ量および前記第２のデータ量を基準にした、前記第１のバッファおよび前記第２のバッファが一時記憶するデータ量の割合を示す数値情報であることを特徴とする、請求項３に記載の再生装置。
【請求項７】
前記通知情報は、前記圧縮デジタルデータのファイル形式に応じて、前記第１のバッファが記憶している前記圧縮デジタルデータのデータ量を示す第１の割合、および前記第２のバッファが記憶している前記非圧縮デジタルデータのデータ量を示す第２の割合の、前記数値情報に対する重み付けが変更されることを特徴とする、請求項６に記載の再生装置。
【請求項８】
前記通知情報生成部は、前記第２のサーバから前記第１のバッファに前記第１のデータ量の圧縮デジタルデータが記憶されたことを示す終了通知を受信すると、生成する通知情報の内容を切替えることを特徴とする、請求項１に記載の再生装置。
【請求項９】
前記通知情報生成部は、前記第１のバッファが一時記憶している圧縮デジタルデータのデータ量と、前記第２のバッファが一時記憶している非圧縮デジタルデータのデータ量と、に基づいて、生成する通知情報の内容を段階的に切替えることを特徴とする、請求項１に記載の再生装置。
【請求項１０】
前記通知情報生成部は、前記第２のバッファが一時記憶する非圧縮デジタルデータのデータ量が、前記第２のデータ量に達すると、生成する前記通知情報の内容を維持することを特徴とする、請求項１に記載の再生装置。
【請求項１１】
前記通知情報生成部は、前記第２のバッファが一時記憶する非圧縮デジタルデータのデータ量が、前記第２のデータ量に達すると、前記通知情報の生成を停止することを特徴とする、請求項１に記載の再生装置。
【請求項１２】
前記通知情報生成部は、前記第１のバッファが前記第１のサーバから前記圧縮デジタルデータを受信し始めると、前記通知情報の生成を開始することを特徴とする、請求項１に記載の再生装置。
【請求項１３】
前記制御部は、前記通信部を介して、前記第１のバッファの記憶状態を取得することを特徴とする、請求項１に記載の再生装置。
【請求項１４】
第１のサーバから受信した圧縮デジタルデータを第１のバッファに一時記憶し、前記第１のバッファが、前記圧縮デジタルデータの復号に十分な量である第１のデータ量の前記圧縮デジタルデータを一時記憶すると、前記第１のバッファから前記圧縮デジタルデータを読み出して、非圧縮デジタルデータに復号する第２のサーバと通信可能な再生装置における再生方法において：
前記第２のサーバから前記非圧縮デジタルデータを受信するステップと；
前記受信した前記非圧縮デジタルデータを第２のバッファに一時記憶するステップと；
Ｄ／Ａ変換部が出力中断なく動作可能な第２のデータ量の前記非圧縮デジタルデータが前記第２のバッファに一時記憶されると、前記第２のバッファが一時記憶する前記非圧縮デジタルデータを前記Ｄ／Ａ変換部に転送するステップと；
前記第２のバッファから転送された前記非圧縮デジタルデータを前記Ｄ／Ａ変換部がＤ／Ａ変換してアナログデータを出力するステップと；
を含み、
前記第１のバッファに前記圧縮デジタルデータが一時記憶されてから、前記第２のバッファに前記第２のデータ量の非圧縮デジタルデータが一時記憶されるまでの少なくとも一期間に、前記第１のバッファおよび前記第２のバッファの記憶状態を通知するための通知情報を生成するステップをさらに含むことを特徴とする、再生方法。
【請求項１５】
コンピュータを、第１のサーバから受信した圧縮デジタルデータを第１のバッファに一時記憶し、前記第１のバッファが、前記圧縮デジタルデータの復号に十分な量である第１のデータ量の前記圧縮デジタルデータを一時記憶すると、前記第１のバッファから前記圧縮デジタルデータを読み出して、非圧縮デジタルデータに復号する第２のサーバと通信可能な再生装置であって：
前記第２のサーバとデータを送受信する通信部と；
前記第２のサーバから前記通信部を介して受信した前記非圧縮デジタルデータを一時記憶する第２のバッファと；
前記第２のバッファから読み出された前記非圧縮デジタルデータをＤ／Ａ変換して出力するＤ／Ａ変換部と；
前記第２のバッファに、前記Ｄ／Ａ変換部が出力中断なく動作可能な第２のデータ量の前記非圧縮デジタルデータが一時記憶されると、前記第２のバッファが一時記憶する前記非圧縮デジタルデータが前記Ｄ／Ａ変換部に転送されるように制御する制御部と；
前記第１のバッファおよび前記第２のバッファの記憶状態を通知するための通知情報を生成する通知情報生成部と；
を備える再生装置として機能させることを特徴とする、コンピュータプログラム。
【手続補正２】
【補正対象書類名】明細書
【補正対象項目名】００１７
【補正方法】変更
【補正の内容】
【００１７】
通知情報生成部は、第２のサーバから前記第１のバッファに前記第１のデータ量の圧縮デジタルデータが記憶されたことを示す終了通知を受信すると、生成する通知情報の内容を切替えるようにしてもよい。かかる構成によれば、通知情報生成部は少なくとも２種類の通知情報を生成し、ユーザは、いずれの通知情報が生成されているかに基づいて、第１のサーバから終了通知が送信されたか否かを判断することができる。
【手続補正３】
【補正対象書類名】明細書
【補正対象項目名】００５７
【補正方法】変更
【補正の内容】
【００５７】
操作部３４８は、例えば、タッチパネル、ボタン、スイッチ、レバー、ダイヤルや、リモートコントローラが発生する赤外線信号用の受光部などからなる操作手段と、この操作手段に対するユーザ操作に応じて操作信号を生成して制御部３５０に出力する入力制御回路などから構成されている。再生装置３０のユーザは、この操作部３４８を操作することにより、再生装置３０に対して各種のデータを入力したり、処理動作を指示したりすることができる。この操作部３４８に対するユーザによる操作内容としては、例えば、コンテンツリストからのコンテンツの選択、コンテンツの再生／一時停止／早送り／巻き戻し／音量調整等があげられる。
【手続補正４】
【補正対象書類名】明細書
【補正対象項目名】００６１
【補正方法】変更
【補正の内容】
【００６１】
図４は、ストリーミング転送、およびストリーミング再生の概要を示した説明図である。まず、ホームサーバ２０の受信バッファ２３４は、コンテンツ配信サーバ１２から圧縮データの受信を開始する。そして、受信バッファ２３４に所定量（第１のデータ量）の圧縮データがバッファリングされると、制御部２５０は、該圧縮データをデコーダ２４０へ転送し始める。デコーダ２４０は、転送された圧縮データを非圧縮データに復号して、制御部２５０が、該非圧縮データが通信部２１０を介して再生装置３０に送信されるように制御する。該ホームサーバ２０の一連の動作を含む処理を、本明細書においてストリーミング転送と称している。なお、受信バッファ２３４の圧縮データの受信およびデコーダ２４０への圧縮データの出力は、継続的、あるいは断続的に行われる。
【手続補正５】
【補正対象書類名】明細書
【補正対象項目名】００９５
【補正方法】変更
【補正の内容】
【００９５】
図９は、通知部３８０による通知情報の他の通知方法の一例を示した説明図である。図９に示した例では、通知情報生成部３７０は、ホームサーバ２０の受信バッファ２３４および再生装置３０の受信バッファ３３４のバッファリング状況が、帯状のメータとして通知部３８０に表示されるよう通知情報を生成する。
【手続補正６】
【補正対象書類名】明細書
【補正対象項目名】０１０２
【補正方法】変更
【補正の内容】
【０１０２】
次に、本実施形態にかかるコンテンツ転送システム１０の動作の流れを説明する。
【手続補正７】
【補正対象書類名】明細書
【補正対象項目名】０１０７
【補正方法】変更
【補正の内容】
【０１０７】
次いで、再生装置３０の受信バッファ３３４は、ホームサーバ２０が送信した非圧縮データの受信およびバッファリングを開始する（Ｓ６４８）。その後、再生装置３０は受信バッファ３３４のバッファリング状況を考慮した通知情報を生成する。そして、再生装置３０は、受信バッファ３３４のバッファリングが終了すると（Ｓ６５２）、通知情報の生成を終了する（Ｓ６５６）。さらに、再生装置３０の制御部３５０は、受信バッファ３３４から非圧縮データを読出し、該非圧縮データのＤ／Ａ変換器３４０への転送を開始する（Ｓ６６０）。